(57)【要約】【課題】  木造建築を始めとする木構造において、部材の据え付けに用い、ＣＬＴを構成するラミナの未接着箇所など、部材中に存在する局地的な脆弱部に起因する強度の低下を回避可能な連結具を提供すること。【解決手段】  一方材５１と他方材６１を一体化する連結具は、一対の埋設板１１、１２と、埋設板１１、１２を一体化する接続軸２１と、で構成し、埋設板１１、１２のうち一方は一方材５１に埋め込み、他方は他方材６１に埋め込み、接続軸２１の端部は、埋設板１１、１２の中央部に接触させる。さらに埋設板１１、１２は、ドリフトピン等の固定具４０を用いて一方材５１や他方材６１と一体化し、埋設板１１、１２には、固定具４０を差し込むための通し穴１５を設け、通し穴１５は、接続軸２１を挟み込むように左右両側に配置する。その結果、一部の固定具４０が脆弱部に差し込まれたとしても、残りがこれを補い、一式の連結具では強度上の問題を解消できる。【選択図】      図１
2019143415.tif 000002
【特許請求の範囲】
【請求項１】
一方材（５１）と他方材（６１）を一体化するために用い、
一対の平面状の埋設板（１１乃至１４）と、一対の該埋設板（１１乃至１４）の間を結び且つこれらを一体化する接続軸（２１または２２）と、からなり、一対の該埋設板（１１乃至１４）のうち一方は前記一方材（５１）に埋め込み、他方は前記他方材（６１）に埋め込み、
前記接続軸（２１または２２）の端部は、前記埋設板（１１乃至１４）の中央部に接触しており、
前記埋設板（１１乃至１４）は、ドリフトピン等の棒状の固定具（４０）を用いて前記一方材（５１）または前記他方材（６１）と一体化する構造であり、該埋設板（１１乃至１４）には、該固定具（４０）を差し込むための通し穴（１５）を設けてあり、該通し穴（１５）は、前記接続軸（２１または２２）を挟み込むように左右両側に配置してあることを特徴とする連結具。
【請求項２】
前記接続軸（２１）の両端部には、前記埋設板（１１、１２）を差し込むため、軸線方向に伸びる係合溝（２５）を設けてあり、前記固定具（４０）の差し込みによって該埋設板（１１、１２）と該接続軸（２１）を一体化することを特徴とする請求項１記載の連結具。
【請求項３】
前記接続軸（２２）は、両端部にオネジ（２７）を形成した丸棒状であり、該オネジ（２７）を介して前記埋設板（１３、１４）と該接続軸（２２）を一体化することを特徴とする請求項１記載の連結具。
【発明の詳細な説明】
【技術分野】
【０００１】
本発明は、木造建築を始めとする木構造において、ＣＬＴなどの部材の据え付けに用いる連結具に関する。
【背景技術】
【０００２】
木造建築は、住宅を始めとする小規模な建物を中心に普及してきたが、近年は集成材の製造技術の向上により、大断面の木材を安定して供給できるようになり、集合住宅や公共施設など、より規模の大きな建物についても、木造化が実現できるようになった。集成材には様々な種類が存在するが、その一つとしてＣＬＴが挙げられる。ＣＬＴは、直交集成板とも呼ばれ、ラミナと称される板材を積層したものだが、隣接する層の木目方向を直交させることで強度の方向性が打ち消され、しかも相応の厚さを有することから、ＣＬＴ同士を連結するだけで建物の骨格を完成させることもできる。
【０００３】
ＣＬＴ同士の連結方法は様々だが、ホゾパイプなどの棒状の金物を用いることが多い。ホゾパイプは、ＣＬＴなどの部材同士の境界を跨ぐように埋め込み、その後、部材の表面からホゾパイプに向けてドリフトピンなどを差し込み、ホゾパイプを部材に固定する。ホゾパイプの使用に際しては、あらかじめ部材に穴加工を行う必要があるものの、施工作業が容易であり、しかも施工後は、大半が部材の内部に埋め込まれ、美観や結露対策で優れている。
【０００４】
ホゾパイプに関連する技術の例として、後記の特許文献１が挙げられる。この文献では、接合強度に優れたダボ接合部を有する構造物（框立てドアなど）が開示されており、接合される複数の部材を跨ぐようにダボ穴を形成してあり、そこに棒状のダボを差し込み、さらに、ダボと交差するように係止ピンを差し込み、ダボを部材に固定する。そしてこの技術では、一本の係止ピンを複数本のダボと交差させており、複数本のダボと複数本の係止ピンが格子状に組み上がることで、これらの剛性が向上し、構造物の接合強度も向上する。なおここでのダボは、ホゾパイプと同様の機能を果たし、その素材については、硬質の木材のほか、プラスチックや金属が挙げられている。
【０００５】
そのほか後記の特許文献２では、横架材と柱などを接合する際に用いる構造用金物が開示されている。この金物は、柱などに加工した切割溝に差し込まれる板状部材と、締結具（ボルト）を差し込むための筒体を一体化した構造で、板状部材の中央上部を切り欠いて間隙を設けてあり、この間隙の下に筒体を配置してある。さらに、間隙によって分割された板状部材には、それぞれの区画にピン孔を設けてある。そして横架材と柱を接合する際は、まず横架材の上面からボルトを突出させ、これを筒体に差し込み、ボルトの先端にナットを螺合させ、金物を横架材の上面に固定する。その後、柱の切割溝に金物を差し込み、柱の表面からピン孔に向けてピンを差し込むと、一連の接合作業が完了する。
【先行技術文献】
【特許文献】
【０００６】
【特許文献１】特開２００１−１１９５０号公報
【特許文献２】特開平２−１５７３３８号公報
【発明の概要】
【発明が解決しようとする課題】
【０００７】
ＣＬＴは、複数のラミナを貼り合わせた構造で、ＣＬＴの厚さ方向に積層されたラミナ同士は、十分な接着が行われている。しかし、ＣＬＴの厚さ方向から見て、同一面に並ぶラミナ同士の境界については、製造工程との兼ね合いから十分な接着が行われていない。このラミナ同士の境界は、ＣＬＴの表面に一直線に並ぶことはなく、意図的に分散配置されており、通常、強度上の問題を生じることはない。ただしこの境界付近に各種金物を配置した場合、その保持が不十分になり、強度上の問題を生じることがある。
【０００８】
その具体例を図７と図８に示す。図７では、一本のホゾシャフトを用い、上下に並ぶ二枚の壁材を連結することを想定しており、上下の壁材の間には床材が挟み込まれる。壁材については、ラミナを積層させたＣＬＴを用いており、中央の中ラミナを側ラミナで挟み込んだ三層構造で、中ラミナと側ラミナは接着剤で強固に一体化されている。またホゾシャフトは、各部材に加工したホゾ穴に埋め込まれ、さらに、ホゾ穴と交差するようにドリフトピンを差し込むことで、壁材とホゾシャフトを一体化する。そのため壁材の側面には、ホゾ穴と交差するピン穴を加工してあり、ホゾシャフトには側穴を設けてある。
【０００９】
図７下方の壁材の一側面を構成する側ラミナは、一枚だけで構成されている訳ではなく、二枚で構成されており、図中に直線で表れている「境界」は、側ラミナの端面同士が接触している位置である。この二枚の側ラミナは、接着で一体化されている訳ではなく、単に端面同士が接触しているに過ぎない。そのため、この境界付近の側ラミナは、他の領域よりも拘束が緩く、変形を生じやすくなるが、図７では、この境界にピン穴を加工してある。このピン穴は、必然的に内周面が一体化されておらず、境界で二分割されており、ドリフトピンに作用する荷重を十分に受け止めることができない。
【００１０】
図８は、図７の完成状態を示し、上下の壁材がホゾシャフトで引き寄せられ、その間に床板が挟み込まれている。この状態において、上下の壁材を引き離す方向に荷重が作用すると、これがドリフトピンを介して側ラミナに伝達される。ただしドリフトピンは、側ラミナ同士の境界に差し込まれており、荷重が作用すると、早い段階でピン穴が楕円形になり、ドリフトピンに緩みが生じ、連結箇所の強度を維持できなくなる。なお、境界がピン穴の中心を通る場合、荷重が両側で均等に受け止められ、強度上の問題が軽減される。しかし、境界がピン穴の円周近傍をかすめるような場合、ピン穴が変形しやすくなり、強度上の問題が発生しやすい。
【００１１】
このような事態を防ぐため、ピン穴は、ラミナ同士の境界から遠ざけて配置すべきである。しかしＣＬＴに各種穴加工を行う際、都度、ラミナ同士の境界に配慮するならば、余計な手間が増えるほか、ＣＬＴの切り出し作業にも影響を与え、歩留まりが低下する恐れもある。そこでラミナ同士の境界を配慮することなく、部材同士を連結できる手段を検討すべきである。なお他の集成材においても、このような未接着箇所が存在する可能性があるほか、無垢材においても、節などによる局地的な脆弱部が存在する。
【００１２】
本発明はこうした実情を基に開発されたもので、ＣＬＴを構成するラミナの未接着箇所など、部材中に存在する局地的な脆弱部に起因する強度の低下を回避可能な連結具の提供を目的としている。
【課題を解決するための手段】
【００１３】
前記の課題を解決するための請求項１記載の発明は、一方材と他方材を一体化するために用い、一対の平面状の埋設板と、一対の該埋設板の間を結び且つこれらを一体化する接続軸と、からなり、一対の該埋設板のうち一方は前記一方材に埋め込み、他方は前記他方材に埋め込み、前記接続軸の端部は、前記埋設板の中央部に接触しており、前記埋設板は、ドリフトピン等の棒状の固定具を用いて前記一方材または前記他方材と一体化する構造であり、該埋設板には、該固定具を差し込むための通し穴を設けてあり、該通し穴は、前記接続軸を挟み込むように左右両側に配置してあることを特徴とする連結具である。
【００１４】
本発明による連結具は、木造建築を始めとする木構造において、一方材および他方材と称する部材を一体化するために用いる。ここで一方材および他方材は、連結される二部材を区別するため、便宜上付した名称であり、いずれもＣＬＴなどの集成材を想定しているが、無垢材でも構わない。また、一方材や他方材は、柱や梁など、特定の用途に限定されるものではなく、あらゆる箇所で使用可能である。そのほか一方材と他方材は、単純に面接触する場合もあるが、一方材と他方材との間に他の部材が入り込み、これを一方材と他方材で挟み込む場合もある。
【００１５】
連結具は、一対の埋設板と、この一対の埋設板の間を結ぶ一本の接続軸と、で構成される。そして埋設板は平面状の金属板で、一対のうちの一方は、一方材の内部に埋め込まれ、一対のうちの他方は、他方材の内部に埋め込まれ、双方が直に接触することはない。また埋設板の具体的な形状は自在だが、本発明では接続軸の軸線方向に対し、横方向に広がるようにする必要がある。なお埋設板を埋め込むため、一方材と他方材には、あらかじめスリットを加工しておく。
【００１６】
接続軸は、離れて配置される一対の埋設板の間を結ぶ棒状のもので、接続軸を介して一対の埋設板が一体化される。また接続軸の端部は、埋設板の中央部に接触させる。したがって接続軸は、埋設板の中央線と同心に揃う。なお埋設板と接続軸を一体化する方法は、様々なものを選択可能で、施工前の段階で双方を一体化することもあれば、施工に伴って双方を一体化することもある。
【００１７】
埋設板は、ドリフトピンやボルトなど、棒状の固定具を用いて一方材または他方材に固定する。そのため埋設板には、固定具を差し込むための通し穴を設ける。そして本発明では、通し穴が単に一列に並ぶのではなく、接続軸を挟み込むように左右両側に配置し、固定具の差し込み位置を広範囲に分散させることを特徴としている。当然ながら、通し穴の本数を増やすことで、一本の固定具に作用する荷重が軽減し、強度上の問題を生じにくくなるが、その分、埋設板が大形化する。
【００１８】
このように、一対の埋設板と一本の接続軸で連結具を構成し、埋設板には、接続軸を挟み込むように左右両側に通し穴を配置することで、固定具の差し込み位置を広範囲に分散させることができる。その結果、一部の固定具が脆弱部に差し込まれたとしても、残りの固定具がこれを補い、一式の連結具においては、強度上の問題を解消できる。
【００１９】
そのほか本発明による連結具は、一対の埋設板の間を接続軸で結ぶ構造で、連結具に作用する引張荷重は、接続軸だけで伝達される。そこで接続軸の長さや太さを調整することで、接続軸に適度な弾塑性変形を生じさせることも容易で、地震などで過大な荷重が作用した際、部材に作用する衝撃を緩和することもできる。
【００２０】
請求項２記載の発明は、埋設板と接続軸を一体化する方法の具体例を示すもので、接続軸の両端部には、埋設板を差し込むため、軸線方向に伸びる係合溝を設けてあり、固定具の差し込みによって埋設板と接続軸を一体化することを特徴とする。ここでの接続軸は丸棒状で、その両端部から、軸線方向に伸びる係合溝を設け、そこに埋設板を差し込む。当然ながら、係合溝に埋設板を差し込んだだけでは、双方は容易に分離するため、これらを固定具で一体化する。
【００２１】
固定具は、前記のように、一方材または他方材に埋設板を固定するために用いるが、この発明では、固定具を接続軸にも差し込むことで、埋設板と接続軸を一体化する。そのため接続軸には、その側周面を貫く側穴を設けるほか、埋設板の中央には、側穴と連通する穴を設ける。当然ながら、埋設板と接続軸を一体化する固定具は、一方材または他方材の表面から差し込まれるため、これらが全て一体化されることになる。
【００２２】
このように、固定具の差し込みによって埋設板と接続軸を一体化することで、埋設板と接続軸の双方の形状が複雑化することがなく、これらの製造時、溶接などの手間の掛かる作業も不要である。また必然的に固定具の使用本数が増えるため、埋設板が一方材や他方材と強固に一体化され、強度の面でも有利である。
【００２３】
請求項３記載の発明についても、埋設板と接続軸を一体化する方法の具体例を示すもので、接続軸は、両端部にオネジを形成した丸棒状であり、オネジを介して埋設板と接続軸を一体化することを特徴とする。ここでは、接続軸として全ネジボルトを用いており、埋設板には、このオネジと螺合する手段を設ける。その具体例としては、メネジを形成したソケットを埋設板に組み込む方法や、接続軸を差し込むリングを埋設板に組み込み、リングから突出した接続軸にナットを螺合させる方法などが挙げられる。
【００２４】
このように、両端部にオネジを形成した丸棒状の接続軸を用い、オネジを介して埋設板と接続軸を一体化することで、必然的に接続軸の直径が小さくなり、過大な引張荷重が作用した際に弾塑性変形を生じやすく、衝撃を緩和する効果を期待できる。また接続軸は、汎用品を必要な長さに切り出すだけで製造可能で、手間や費用の増加を抑制できる。
【発明の効果】
【００２５】
請求項１記載の発明のように、一対の埋設板と一本の接続軸で連結具を構成し、埋設板には、接続軸を挟み込むように左右両側に通し穴を配置することで、固定具の差し込み位置を広範囲に分散することができる。その結果、仮に一部の固定具が脆弱部に差し込まれたとしても、残りの固定具がこれを補い、一式の連結具においては、強度上の問題を解消できる。したがって、本発明による連結具を用いてＣＬＴの据え付けを行う場合、固定具の差し込み位置をラミナ同士の境界から遠ざけるといった配慮が不要で、施工に先立つ手間が増えることがない。また、ＣＬＴの切り出し作業に影響を与えることもなく、歩留まりの低下も生じない。
【００２６】
本発明による連結具は、ＣＬＴでの使用を想定したものだが、ＣＬＴ以外の集成材においても、接着が不十分で局地的な脆弱部が存在する可能性があるほか、無垢材においても、節などによる局地的な脆弱部が存在し、このような部材の使用に際しては、十分な余裕を見込む必要がある。しかし本発明では、固定具を広範囲に分散配置することから、局地的な脆弱部に起因する強度の低下を回避できるほか、個々の固定具に作用する荷重を軽減できるため、安定した連結を実現できる。
【００２７】
そのほか本発明による連結具は、一対の埋設板の間を接続軸で結ぶ構造で、連結具に作用する引張荷重は、接続軸だけで伝達される。そこで接続軸の長さや太さを調整することで、接続軸に適度な弾塑性変形を生じさせることも容易で、地震などで過大な荷重が作用した際、部材に作用する衝撃を緩和することもできる。
【００２８】
請求項２記載の発明のように、接続軸の両端部には、埋設板を差し込むための係合溝を設け、固定具の差し込みによって埋設板と接続軸を一体化することで、埋設板と接続軸の双方の形状が複雑化することがなく、これらの製造時、溶接などの手間の掛かる作業も不要である。また必然的に固定具の使用本数が増えるため、埋設板が一方材や他方材と強固に一体化され、強度の面でも有利である。
【００２９】
請求項３記載の発明のように、両端部にオネジを形成した丸棒状の接続軸を用い、オネジを介して埋設板と接続軸を一体化することで、必然的に接続軸の直径が小さくなり、過大な引張荷重が作用した際に弾塑性変形を生じやすく、衝撃を緩和する効果を期待できる。また接続軸は、汎用品を必要な長さに切り出すだけで製造可能で、手間や費用の増加を抑制できる。
【図面の簡単な説明】
【００３０】
【図１】本発明による連結具の形状例と使用状態例を示す斜視図で、この連結具は、一方材と他方材を一体化するために用いられ、上下二枚で一対となる埋設板と、この一対の埋設板の間を結ぶ接続軸と、で構成される。
【図２】図１の一方材と他方材を連結する過程を示す斜視図で、一方材には埋設板と接続軸を取り付けてあり、他方材には埋設板だけを取り付けてある。
【図３】図１の一方材と他方材が一体化した状態を示す斜視図である。
【図４】図１とは異なる連結具の形状例を示す斜視図で、接続軸として全ネジボルトを用いており、螺合によって埋設板と接続軸が一体化している。
【図５】図４の一方材と他方材が一体化した状態を示す斜視図である。
【図６】図１および図４に描いた連結具の単体形状を示す斜視図で、図の上方には図１の連結具を描いてあり、図の下方には図４の連結具を描いている。
【図７】本発明が解決しようとする課題を示す斜視図で、一本のホゾシャフトを用い、上下に並ぶ二枚の壁材を連結することを想定しており、上下の壁材の間には床材が挟み込まれる。
【図８】図７の完成状態を示す斜視図で、ドリフトピンは、側ラミナ同士の境界に差し込まれており、引張荷重が作用するとピン穴が変形する恐れがある。
【発明を実施するための形態】
【００３１】
図１は、本発明による連結具の形状例と使用状態例を示し、この連結具は、一方材５１と他方材６１を一体化するために用いられ、上下二枚で一対となる埋設板１１、１２と、この一対の埋設板１１、１２の間を結ぶ接続軸２１と、で構成される。ただし図１では、一方材５１と他方材６１との間に板状の中間材７１が挟み込まれ、一方材５１と他方材６１が直に接触することはない。また一方材５１や他方材６１には、左右の側ラミナ５３、６３の間に中ラミナ５２、６２が挟み込まれた三層のＣＬＴを用いており、その一部表面には木目を描いてあり、側ラミナ５３、６３と中ラミナ５２、６２は、木目方向がほぼ直交している。
【００３２】
連結具を構成する埋設板１１、１２は、金属板を凸字形に切り出し、そこに通し穴１５と中央穴１６を設けたもので、上下二枚とも同一形状だが、この二枚は線対称形に配置する。さらに埋設板１１、１２は、一方材５１と他方材６１のそれぞれに加工したスリット５８、６８に差し込む。スリット５８、６８は、中間材７１との接触面から奥方に伸び、埋設板１１、１２の全体を収容可能な深さを確保してある。なお当然ながら、図の下方の埋設板１１は、一方材５１のスリット５８に差し込まれ、図の上方の埋設板１２は、他方材６１のスリット６８に差し込まれる。
【００３３】
接続軸２１は、一対の埋設板１１、１２を一体化するために用いる金属製の丸棒で、その上下には、埋設板１１、１２を収容するための係合溝２５を設けてある。係合溝２５は、接続軸２１の横断面の中央を通るように設けてあり、埋設板１１、１２の全体を収容可能な深さを確保してある。また接続軸２１は、中間材７１を通り抜け、一方材５１と他方材６１との間を結ぶように配置する。そのため中間材７１には、接続軸２１を緩みなく差し込み可能な丸穴７７を加工してあり、一方材５１と他方材６１についても、これと同心で丸穴５７、６７を加工してある。なお中間材７１については、丸穴７７の中心を通る線で切断した状態で描いてある。
【００３４】
一方材５１や他方材６１のスリット５８、６８に差し込まれた埋設板１１、１２は、固定具４０で一方材５１や他方材６１に固定される。この固定具４０はドリフトピンであり、一方材５１や他方材６１の側面から埋設板１１、１２に向けて固定具４０を差し込むことで、双方を一体化する。なお固定具４０を差し込むため、一方材５１や他方材６１の側面には、スリット５８、６８と交差するピン穴５５、６５を加工してあり、埋設板１１、１２には通し穴１５を設けてある。当然ながらピン穴５５、６５は、通し穴１５と連通するように加工してあり、ピン穴５５、６５に差し込まれた固定具４０は、摩擦で保持される。
【００３５】
このように固定具４０は、埋設板１１、１２を一方材５１や他方材６１に固定する役割を有するが、ここでは、埋設板１１、１２と接続軸２１を一体化する役割も有する。埋設板１１、１２の中央には、上下に並ぶ四個の中央穴１６を設けてあり、接続軸２１についても、中央穴１６と連通する側穴２６を設けてある。側穴２６は、係合溝２５と交差して反対側に貫いており、接続軸２１の上下いずれとも、四個が並んでいる。
【００３６】
中央穴１６や側穴２６に対応し、一方材５１と他方材６１については、これらと連通するピン穴５６、６６を加工してある。このピン穴５６、６６は、いずれも上下に四個が並び、丸穴５７、６７と交差して反対面に到達する。またこのピン穴５６、６６の両側には、三個ずつピン穴５５、６５を配置してある。
【００３７】
図１の一方材５１および他方材６１の側ラミナ５３、６３は、一側面が一枚で構成されている訳ではなく、二枚が隣接しており、双方の境界５４、６４が線状に露出している。この境界５４、６４については、隣接する二枚の側ラミナ５３、６３が十分に接着されておらず、局地的に変形を生じやすくなる。しかし図１では、複数のピン穴５５、６５のうち、一番右側のものが境界５４、６４に位置している。
【００３８】
図２は、図１の一方材５１と他方材６１を連結する過程を示しており、一方材５１には埋設板１１と接続軸２１を取り付けてあり、他方材６１には、埋設板１２だけを取り付けてある。一方材５１については、計十本の固定具４０が差し込まれており、そのうち中央で上下に並ぶ四本は、一方材５１と接続軸２１と埋設板１１を一括して貫き、これらを一体化している。また、中央に差し込まれた固定具４０を挟み込むように、左右それぞれに三本の固定具４０が差し込まれており、これらは一方材５１と埋設板１１を貫いている。
【００３９】
上方の他方材６１については、左右それぞれに三本の固定具４０が差し込まれ、埋設板１２が他方材６１に固定されている。その後、一方材５１の上面に中間材７１を配置し、一方材５１から突出する接続軸２１を中間材７１の丸穴７７に差し込み、中間材７１を一方材５１の上面に載せる。次に、接続軸２１を他方材６１の丸穴６７に差し込むと、一方材５１と他方材６１との間に中間材７１が挟み込まれ、最後に、他方材６１のピン穴６６に固定具４０を差し込むと、中間材７１を挟んで一方材５１と他方材６１が一体化する。
【００４０】
図３は、図１の一方材５１と他方材６１が一体化した状態を示す。この図に描くように、一方材５１と他方材６１のいずれも、計十本の固定具４０が差し込まれ、埋設板１１、１２と接続軸２１を介して一方材５１と他方材６１が一体化している。また固定具４０は、接続軸２１を挟み込むように左右に分散して配置してある。図の一番右側の固定具４０は、側ラミナ５３、６３同士の境界５４、６４に位置しているが、他の固定具４０はこの境界５４、６４から離れており、その影響を受けることなく荷重を受け止め、一方材５１と他方材６１との連結を健全な状態で維持できる。
【００４１】
図４は、図１とは異なる連結具の形状例を示し、この連結具も一方材５１と他方材６１を一体化するために用いられるが、接続軸２２として全ネジボルトを用いており、螺合によって埋設板１３、１４と接続軸２２が一体化している。したがって接続軸２２の両端部には、オネジ２７が形成されている。また埋設板１３、１４は、単純な平面状ではなく、接続軸２２との螺合を考慮した形状としてあり、下方の埋設板１３の上部中央には、メネジ１９を形成したソケット１７を一体化してある。対して、上方の埋設板１４の下部中央には、接続軸２２を差し込むためのリング１８を設けてある。そのほかこの図でも、一方材５１と他方材６１が直に接触することはなく、その間に中間材７１が挟み込まれる。
【００４２】
下方の埋設板１３については、ソケット１７のメネジ１９との螺合で接続軸２２と一体化する。対して、上方の埋設板１４については、接続軸２２の上部をリング１８の中から突出させ、そこにナット２９を螺合させて接続軸２２と一体化する。この構造では、施工途中でナット２９を螺合させ、一対の埋設板１３、１４を一体化する。また個々の埋設板１３、１４には、五個の通し穴１５を設けてある。
【００４３】
一方材５１の上面と他方材６１の下面には、埋設板１３、１４を収容するスリット５８、６８を加工してあるほか、ソケット１７やリング１８を収容するため、スリット５８、６８の入口中央には丸穴５７、６７を加工してある。そして一方材５１と他方材６１の側面には、埋設板１３、１４を貫く固定具４０を差し込むため、それぞれ五個のピン穴５５、６５を加工してある。なお図の一番右側のピン穴５５、６５は、側ラミナ５３、６３同士の境界５４、６４に位置している。そのほか、中間材７１に接続軸２２を通すための丸穴７７は、接続軸２２を余裕で通すことのできる内径としてあり、接続軸２２の変形を許容している。
【００４４】
図５は、図４の一方材５１と他方材６１が一体化した状態を示す。この図に描くように、一方材５１と他方材６１のいずれも、五本の固定具４０が差し込まれており、しかも固定具４０は、接続軸２２を挟み込むように左右に分散して配置してある。図の一番右側の固定具４０は、側ラミナ５３、６３同士の境界５４、６４に位置しているが、他の固定具４０はこの境界５４、６４から離れており、その影響を受けることなく荷重を受け止め、一方材５１と他方材６１との連結を維持できる。
【００４５】
図６は、図１および図４に描いた連結具の単体形状を示している。図６の上方に描いた図１の連結具は、埋設板１１、１２の中央部を接続軸２１の係合溝２５に差し込んだ後、接続軸２１の側穴２６と埋設板１１、１２の中央穴１６を貫くように固定具４０を差し込むことで、双方が一体化される。なお埋設板１１、１２と接続軸２１が一体化すると、接続軸２１の両側面から埋設板１１、１２が突出する形状になり、上下に離れて配置される一対の埋設板１１、１２の間を接続軸２１が結んでいる。
【００４６】
図６の下方に描いた図４の連結具は、全ネジボルトを用いた接続軸２２を介して二枚の埋設板１３、１４を一体化しており、下方の埋設板１３には、接続軸２２のオネジ２７との螺合のため、メネジ１９を形成したソケット１７を一体化してあり、上方の埋設板１４には、接続軸２２を差し込むためのリング１８を一体化してあり、リング１８の中から突出した接続軸２２にナット２９を螺合することで、埋設板１４が取り付けられる。ここでの接続軸２２は、必然的に小径となりやすく、過大な引張荷重が作用した際は、図の右下に描くように、弾塑性変形を生じさせることも容易である。この弾塑性変形を意図的に生じさせることで、地震などによる衝撃を緩和させ、部材の破損を防ぐこともできる。
【符号の説明】
【００４７】
１１  埋設板（凸字形・一方材に埋め込むもの）
１２  埋設板（凸字形・他方材に埋め込むもの）
１３  埋設板（ソケットを一体化・一方材に埋め込むもの）
１４  埋設板（リングを一体化・他方材に埋め込むもの）
１５  通し穴
１６  中央穴
１７  ソケット
１８  リング
１９  メネジ
２１  接続軸（係合溝のあるもの）
２２  接続軸（両端部にオネジを形成したもの）
２５  係合溝
２６  側穴
２７  オネジ
２９  ナット
４０  固定具（ドリフトピン）
５１  一方材
５２  中ラミナ
５３  側ラミナ
５４  境界
５５  ピン穴（通し穴と連通するもの）
５６  ピン穴（中央穴および側穴と連通するもの）
５７  丸穴
５８  スリット
６１  他方材
６２  中ラミナ
６３  側ラミナ
６４  境界
６５  ピン穴（通し穴と連通するもの）
６６  ピン穴（中央穴および側穴と連通するもの）
６７  丸穴
６８  スリット
７１  中間材
７７  丸穴
【図１】
2019143415.tif 000003
【図２】
2019143415.tif 000004
【図３】
2019143415.tif 000005
【図４】
2019143415.tif 000006
【図５】
2019143415.tif 000007
【図６】
2019143415.tif 000008
【図７】
2019143415.tif 000009
【図８】
2019143415.tif 000010